(57)【特許請求の範囲】
【請求項１】
水上構造体または水中構造体に用いられる構造部材であって、
水に浸かる部材である構造部材本体と
前記構造部材本体を包んだシート状の基礎材を有する部材であるシート部材と、
を備え、
前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、でできており、
前記シート部材が前記構造部材本体の表面を間に隙間を設けて覆う様に前記構造部材本体を包む、
ことを特徴とする構造部材。
【請求項２】
前記シート部材が、前記基礎材と前記基礎材の前記基材の少なくとも一面にできた前記第二層を覆う通水性のあるシート状の材であるカバー材と、を有する、
ことを特徴とする請求項１に記載の構造部材。
【請求項３】
前記基礎材が、屈曲自在な素材でできたシート状の基材と、前記基材の両面に付着し層を形成する粘着剤又は接着剤でできた第一層と、前記粘着剤又は接着剤に付着し前記基材の両面に層を形成する銅又は銅合金のパウダーでできた第二層と、でできている、
ことを特徴とする請求項２に記載の構造部材。
【請求項４】
水上構造体または水中構造体に用いられる構造部材であって、
水に浸かる部材である構造部材本体と
前記構造部材本体を包んだシート状の基礎材とカバー部材とを有する部材であるシート部材と、
を備え、
前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、でできており、
前記カバー材が、前記基礎材の前記基材の少なくとも一面にできた前記第二層を覆う通水性のあるシート状の材であり、
前記シート部材が前記構造部材本体の表面を覆う様に前記構造部材本体を包む、
ことを特徴とする構造部材。
【請求項５】
水上構造体または水中構造体に用いられる構造部材であって、
水に浸かる部材である構造部材本体と
前記構造部材本体を包んだシート状の基礎材を有する部材であるシート部材と、
を備え、
前記基礎材が、屈曲自在な素材でできたシート状の基材と、前記基材の両面に付着し層を形成する粘着剤又は接着剤でできた第一層と、前記粘着剤又は接着剤に付着し前記基材の両面に層を形成する銅又は銅合金のパウダーでできた第二層と、でできており、
前記シート部材が前記構造部材本体の表面を覆う様に前記構造部材本体を包む、
ことを特徴とする構造部材。
【請求項６】
水上構造物または水中構造物に用いられる構造部材の水に浸かる部材である構造部材本体を包むシート部材であって、
シート状の基礎材と、
カバー材と、
を備え、
前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、でできており、
前記カバー材が前記基礎材の前記基材の少なくとも一面にできた前記第二層を覆う通水性のあるシート状の材である、
ことを特徴とするシート部材。
【請求項７】
水上構造物または水中構造物に用いられる構造部材の水に浸かる部材である構造部材本体を包むシート部材であって、
シート状の基礎材を、
備え、
前記基礎材が、屈曲自在な素材でできたシート状の基材と、前記基材の両面に付着し層を形成する粘着剤又は接着剤でできた第一層と、前記粘着剤又は接着剤に付着し前記基材の両面に層を形成する銅又は銅合金のパウダーでできた第二層と、でできている、
ことを特徴とするシート部材。
【請求項８】
水上構造物または水中構造物に用いられる構造部材の水に浸かる部材である構造部材本体をシート部材で包む方法であって、
シート状の基礎材を有するシート部材を準備する準備工程と、
前記構造部材本体の表面を間に隙間を設けて覆う様に前記シート部材で前記構造部材本体を包む包み工程と、
を備え、
前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、でできている、
ことを特徴とする方法。
【請求項９】
水上構造物または水中構造物に用いられる構造部材の水に浸かる部材である構造部材本体をシート部材で包む方法であって、
シート状の基礎材とカバー部材とを有するシート部材を準備する準備工程と、
前記構造部材本体の表面を覆う様にシート部材で前記構造部材本体を包む包み工程と、
を備え、
前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、でできており、
前記カバー材が前記基礎材の前記基材の少なくとも一面にできた前記第二層を覆う通水性のあるシート状の材である、
ことを特徴とする方法。
【請求項１０】
前記包み工程が、前記シート部材を前記構造部材本体の輪郭の外形に略相似な形状に立体的に成形して、前記構造部材本体の表面を間に隙間を設けて覆う様にシート部材で前記構造部材本体を包む、
ことを特徴とする請求項８または請求項９のうちのひとつに記載の方法。
【発明の詳細な説明】
【技術分野】
【０００１】
本発明は、構造部材とシート部材に係る。特に、貝類付着抑制機能をもつ構造部材とシート部材に関する。
【背景技術】
【０００２】
水中構造物または水上構造物が利用される。
水中構造物または水上構造物に構造部材が用いられる。
いけすや海上浮標を浮かすために構造部材が用いられる。
例えば、いけすの上部を複数の構造部材であるうきに結合し、いけすを水中に維持する。
例えば、海上浮標の本体が構造部材であるブイを形成し、海上浮標を海上に維持する。
例えば、構造部材である取水管が、潮流発電装置において海水を取り入れるために用いられる。
【０００３】
長時間、いけすや海上浮標を浮かすと、貝類、例えばフジツボやムラサキガイ、また最近とくに問題になっているカワヒバリガイ等の貝類の付着が表面に付着し、浮力を減退させる。
【０００４】
カワヒバリガイは、中国からの外来生物で、淡水性の二枚貝である。殻長２〜３ｃｍの小さな貝であるが、繁殖力が強いため、生態系の影響が大きいだけでなく、農業用水や水力発電所などの利水施設に被害を与えている。例えば、施設の壁面や配管などに塊となって付着し、配管を詰まらせるといった通水障害を引き起こすのである。壁面や配管内に付着したカワヒバリガイは、放水した程度では剥がすことができず、人力や重機を用いて剥がす必要があるため、多大な労力と費用が必要になる。そこで、カワヒバリガイの付着を抑制できる金属製の板材や管材等の金属製品が要望されている。
【０００５】
また、フジツボやムラサキガイは、海洋構造物や火力・原子力発電所の取水管に多量に付着して、取水障害を発生させることは、以前から知られている。
【０００６】
そこで、一定の機能を維持するために、定期的な清掃が必要であった。貝類の付着が多いと、頻繁な清掃が必要になる。
例えば、一定の浮力を維持するために、定期的な清掃が必要であった。貝類の付着が多いと、頻繁な清掃が必要になる。
例えば、一定の取水量を維持するために、定期的な清掃が必要であった。貝類の付着が多いと、頻繁な清掃が必要になる。
【発明の概要】
【発明が解決しようとする課題】
【０００７】
本発明は以上に述べた問題点に鑑み案出されたもので、貝類付着抑制機能を持つ構造部材と構造部材に貝類付着抑制機能を付与するシート部材を提供しようとする。
【課題を解決するための手段】
【０００８】
上記目的を達成するため、本発明に係る水上構造体または水中構造体に用いられる構造部材であって、水に浸かる部材である構造部材本体と、前記構造部材本体を包むシート状の基礎材でできた部材であるシート部材と、を備え、前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、を有し、前記シート部材が前記構造部材本体の表面を覆う様に前記構造部材本体を包む、ものとした。
【０００９】
上記本発明の構成により、構造部材本体が、水に浸かる部材である。シート部材が、前記構造部材本体を包むシート状の基礎材でできた部材である。前記基礎材が基材と第一層と第二層とを有する。前記基材は、屈曲自在な素材でできたシート状のものである。前記第一層は、前記基材の少なくとも一面に付着し層を形成する粘着剤又は接着剤でできたものである。前記第二層は、前記粘着剤又は接着剤に付着し前記基材の少なくとも一面に層を形成する銅又は銅合金のパウダーでできるものである。前記シート部材が前記構造部材本体の表面を覆う様に前記構造部材本体を包む。
その結果、水に浸かる構造部材に貝類が付着するのを抑制できる。
【００１０】
以下に、本発明の実施形態に係る構造部材を説明する。本発明は、以下に記載した実施形態のいずれか、またはそれらの中の二つ以上が組み合わされた態様を含む。
【００１１】
本発明の実施形態に係る構造部材は、前記シート部材が前記構造部材本体の輪郭の外形に略相似な形状に立体的に成形される。
上記の実施形態の構成により、前記シート部材が前記構造部材本体の輪郭の外形に略相似な形状に立体的に成形される。
その結果、水に浸かる構造部材に貝類が付着するのを効率的に抑制できる。
【００１２】
本発明の実施形態に係る構造部材は、前記構造部材本体の輪郭が略円筒状または円錐状の形状を一部に有し、前記シート部材が前記略円筒状または円錐状の形状を包む円筒状または円錐状の胴体と前記胴体の両端を絞られた端部とを持つ様に立体的に成形される。
上記の実施形態の構成により、前記構造部材本体の輪郭が略円筒状または円錐状の形状を一部に有する。前記シート部材が前記略円筒状または円錐状の形状を包む円筒状または円錐状の胴体を持つ様に立体的に成形される。
その結果、シート部材が構造部材本体の輪郭を覆い、水に浸かる構造部材に貝類が付着するのを効率良く抑制できる。
【００１３】
本発明の実施形態に係る構造部材は、前記構造部材本体の輪郭が略円筒状または円錐状の形状を一部に有し、前記シート部材が帯状になった前記基礎材を前記略円筒状または円錐状の形状に沿って螺旋状に巻かれ前記構造部材本体の輪郭の外形に略相似な形状に立体的に成形される。
上記の実施形態の構成により、前記構造部材本体の輪郭が略円筒状または円錐状の形状を一部に有し、前記シート部材が帯状になった前記基礎材を前記略円筒状または円錐状の形状に沿って螺旋状に巻かれ前記構造部材本体の輪郭の外形に略相似な形状に立体的に成形される。
その結果、シート部材が構造部材本体の輪郭を覆い、水に浸かる構造部材に貝類が付着するのを効率良く抑制できる。
【００１４】
本発明の実施形態に係る構造部材は、前記基礎材が、前記基材の少なくとも一面にできた前記第二層を覆う通水性のあるシート状の材であるカバー材と、を有する。
上記の実施形態の構成により、カバー材が、前記基材の少なくとも一面にできた前記第二層を覆う通水性のあるシート状の材である。
その結果、第二層の銅または銅合金のパウダーが剥がれるのを抑制でき、かつ水に浸かる構造部材に貝類が付着するのを効率良く抑制できる。
【００１５】
上記目的を達成するため、本発明に係る水上構造物または水中構造物に用いられる構造部材の水に浸かる部材である構造部材本体を包むシート部材であって、シート状の基礎材ででき、前記基礎材が、屈曲自在な素材でできたシート状の基材と、前記基材の少なくとも一面に付着し層を形成する粘着剤又は接着剤でできた第一層と、前記粘着剤又は接着剤に付着し前記基材の少なくとも一面に層を形成する銅又は銅合金のパウダーでできた第二層と、を有し、前記シート部材が前記構造部材本体の表面を覆う様に前記構造部材本体を包む。
【００１６】
上記本発明の構成により、構造部材本体が、水に浸かる部材である。シート部材が、前記構造部材本体を包むシート状になった部材である。前記シート部材が基材と第一層と第二層とを有するシート状の基礎材でできており。基材は、屈曲自在な素材でできたシート状のものである。第一層は、前記基材の少なくとも一面に付着し層を形成する粘着剤又は接着剤でできたものである。第二層は、前記粘着剤又は接着剤に付着し前記基材の少なくとも一面に層を形成する銅又は銅合金のパウダーでできるものである。前記シート部材が前記構造部材本体の表面を覆う様に前記構造部材本体を包む。
その結果、水に浸かる構造部材に貝類が付着するのを抑制できる。
【００１７】
以下に、本発明の実施形態に係るシート部材を説明する。本発明は、以下に記載した実施形態のいずれか、またはそれらの中の二つ以上が組み合わされた態様を含む。
【００１８】
本発明の実施形態に係るシート部材は、前記シート部材が前記構造部材本体の輪郭の外形に略相似な形状に成形される。
上記の実施形態の構成により、前記シート部材が前記構造部材本体の輪郭の外形に略相似な形状に立体的に成形される。
その結果、水に浸かる構造部材に貝類が付着するのを効率的に抑制できる。
【００１９】
本発明の実施形態に係るシート部材は、前記構造部材本体の輪郭が略円筒状または円錐状の形状を一部に有し、前記シート部材が前記略円筒状または円錐状の形状を包む円筒状または円錐状の胴体を持つ様に立体的に成形される。
上記の実施形態の構成により、前記構造部材本体の輪郭が略円筒状または円錐状の形状を一部に有する。前記シート部材が前記略円筒状または円錐状の形状を包む円筒状または円錐状の胴体を持つ様に立体的に成形される。
その結果、シート部材が構造部材本体の輪郭を覆い、水に浸かる構造部材に貝類が付着するのを効率良く抑制できる。
【００２０】
本発明の実施形態に係るシート部材は、前記構造部材本体の輪郭が略円筒状または円錐状の形状を一部に有し、前記シート部材が帯状になった前記基礎材を前記略円筒状または円錐状の形状に沿って螺旋状に巻かれ前記構造部材本体の輪郭の外形に略相似な形状に立体的に成形される。
上記の実施形態の構成により、前記構造部材本体の輪郭が略円筒状または円錐状の形状を一部に有し、前記シート部材が帯状になったものを前記略円筒状または円錐状の形状に沿って螺旋状に巻かれ前記構造部材本体の輪郭の外形に略相似な形状に立体的に成形される。
その結果、シート部材が構造部材本体の輪郭を覆い、水に浸かる構造部材に貝類が付着するのを効率良く抑制できる。
【００２１】
本発明の実施形態に係るシート部材は、前記基礎材が、前記基材の少なくとも一面にできた前記第二層を覆う通水性のあるシート状のカバー材と、を有する。
上記の実施形態の構成により、
カバー材が、前記基材の少なくとも一面にできた前記第二層を覆う通水性のあるシート状の材である。
その結果、第二層の銅または銅合金のパウダーが剥がれるのを抑制でき、かつ水に浸かる構造部材に貝類が付着するのを効率良く抑制できる。
【発明の効果】
【００２２】
以上説明したように、本発明に係る構造部材とシート部材は、その構成により、以下の効果を有する。
シート状の基材の少なくとも一面に付着する粘着剤又は接着剤に銅または銅合金のパウダーを付着させたシート状の基礎材でできた部材を前記構造部材本体の表面を覆う様に前記構造部材本体を包む様にしたので、水に浸かる構造部材に貝類が付着するのを抑制できる。
また、前記シート部材が前記構造部材本体の輪郭を覆う様に立体的に成形する様にしたので、水に浸かる構造部材に貝類が付着するのを効率的に抑制できる。
また、前記シート部材が前記構造部材本体の前記略円筒状または円錐状の形状を包む胴体を形成する様に立体的に成形したので、シート部材が構造部材本体の輪郭を覆い、水に浸かる構造部材に貝類が付着するのを効率良く抑制できる。
また、シート部材が帯状になったものを前記構造部材本体の前記略円筒状または円錐状の形状に沿って螺旋状に巻かれる様に立体的に成形したので、シート部材が構造部材本体の輪郭を覆い、水に浸かる構造部材に貝類が付着するのを効率良く抑制できる。
また、通水性のあるシート状のカバー材が前記基板の少なくとも一面にできた第二層を覆う様にしたので、第二層の銅または銅合金のパウダーが剥がれるのを抑制でき、かつ水に浸かる構造部材に貝類が付着するのを効率良く抑制できる。
従って、貝類付着抑制機能を持つ構造部材と構造部材に貝類付着抑制機能を付与するシート部材を提供できる。
【図面の簡単な説明】
【００２３】
【図１】本発明の実施形態に係るシート部材の基礎材の断面図である。
【図２】本発明の実施形態に係るシート部材の基礎材の製造方法である。
【図３】本発明の第一の実施形態に係る構造部材の概念図その１である。
【図４】本発明の第一の実施形態に係る構造部材の概念図その２である。
【図５】本発明の第一の実施形態に係る構造部材の作用説明図である。
【図６】本発明の第二の実施形態に係る構造部材の作用説明図である。
【図７】本発明の第三の実施形態に係る構造部材の作用説明図である。
【発明を実施するための形態】
【００２４】
以下、本発明を実施するための形態を、図面を参照して説明する。
【００２５】
本発明の実施形態にかかる構造部材１００とシート部材２０とを、図を基に、説明する。
図１は、本発明の実施形態に係るシート部材の基礎材２０’の断面図である。図２は、本発明の実施形態に係るシート部材の基礎材２０’の製造方法である。図３は、本発明の第一の実施形態に係る構造部材の概念図である。
【００２６】
本発明の実施形態にかかる構造部材は、水上構造体または水中構造体に用いられるものである。
本発明の実施形態にかかる構造部材は、構造部材本体１０とシート部材２０とで構成される。
例えば、水上構造体または水中構造体は、いけす、海上浮標、潮流発電装置等である。
【００２７】
構造部材本体１０は、水に浸かる部材である。
例えば、構造部材本体１０は、うき、ブイ、取水管、等である。
うき、ブイは、水に浸かり浮力を発生するものである。
取水管は、海水等を取り入れる配管である。
【００２８】
シート部材２０は、水上構造物または水中構造物に用いられる構造部材の水に浸かる部材である構造部材本体を包むものである。
シート部材２０は、シート状の基礎材２０’でできる。
基礎材２０’は、基材２１と第一層２２と第二層２３とで構成される。
基礎材２０’は、基材２１と第一層２２と第二層２３とカバー材２４とで構成されてもよい。
【００２９】
基材２１は、屈曲自在な素材でできたシート状のものである。
例えば、基材２１はプラスチック製のシートである。
例えば、基材２１はポリプロピレン製のシートである。
基材２１は、無数の孔が設けられてもよい。
基材２１は、通水性をもつものであってもよい。
【００３０】
第一層２２は、基材２１の少なくとも一面に付着し層を形成する粘着剤又は接着剤でできた層である。
第一層２２は、基材２１の片面に付着し層を形成する粘着剤又は接着剤でできた層であってもよい。
第一層２２は、基材２１の両面に付着し層を形成する粘着剤又は接着剤でできた層であってもよい。
粘着剤は、樹脂系粘着剤またはゴム系粘着剤であってよい。
接着剤は、樹脂系接着剤またはゴム系接着剤であってよい。
例えば、樹脂系粘着剤はアクリル系粘着剤である。
例えば、ゴム系粘着剤はブチルゴムである。
【００３１】
第二層２３は、粘着剤又は接着剤に付着し基材２１の少なくとも一面に層を形成する銅又は銅合金のパウダーでできた層である。
第二層２３は、粘着剤又は接着剤に付着し基材２１の片面に層を形成する銅又は銅合金のパウダーでできた層であってもよい。
第二層２３は、粘着剤又は接着剤に付着し基材２１の両面に層を形成する銅又は銅合金のパウダーでできた層であってもよい。
【００３２】
カバー材２４は、基材２１の少なくとも一面にできた第二層２３を覆う通水性のあるシート状の材である。
カバー材２４は、基材２１の片面にできた第二層２３を覆う通水性のあるシート状の材であってもよい。
カバー材２４は、基材２１の両面にできた第二層２３を覆う通水性のあるシート状の材であってもよい。
例えば、カバー材２４は、不織布である。
例えば。カバー材２４は、多孔質のシート状の材料である。
カバー材２４は、複数の箇所を基材２１に固定されてもよい。
【００３３】
図１（Ａ）は、基材２１の片面に第一層２２と第二層２３とを形成されるシート部材の基礎材２０’を示す。
図１（Ｂ）は、基材２１の両面に第一層２２と第二層２３とを形成されるシート部材基礎材２０’を示す。
図１（Ｃ）は、基材２１の片面に第一層２２と第二層２３とを形成され、カバー材２４に覆われるシート部材の基礎材２０’を示す。
図１（Ｄ）は、基材２１の両面に第一層２２と第二層２３とを形成され、カバー材２４に覆われるシート部材の基礎材２０’を示す。
【００３４】
シート部材２０が構造部材本体１０の表面を覆う様に構造部材本体１０を包む。
シート部材２０が構造部材本体１０の少なくとも水に濡れる表面を覆う様に構造部材本体１０を包んでもよい。
シート部材２０が構造部材本体１０の表面の全体を覆う様に構造部材本体を包んでもよい。
第二層２３が基材２１の外側へ向くように、シート部材２０が構造部材本体１０の表面を覆う様に構造部材本体１０を包んでもよい。
【００３５】
シート部材２０が構造部材本体１０の輪郭の外形に略相似な形状に立体的に成形されてもよい。
【００３６】
構造部材本体１０の輪郭が略円筒状または円錐状の形状を一部に有し、シート部材２０が略円筒状または円錐状の形状を包む円筒状または円錐状の胴体を持つ様に立体的に成形されてもよい。
構造部材本体１０の輪郭が略円筒状または円錐状の形状を一部に有し、シート部材２０が略円筒状または円錐状の形状を包む円筒状または円錐状の胴体と胴体の両端を絞られた端部とを持つ様に立体的に成形されてもよい。
構造部材本体１０の輪郭が略円筒状または円錐状の形状を一部に有し、シート部材２０が略円筒状または円錐状の形状を包む円筒状または円錐状の胴体と胴体の両端を止め輪３０で絞られた端部とを持つ様に立体的に成形されてもよい。
【００３７】
構造部材本体１０の輪郭が略円筒状または円錐状の形状を一部に有し、シート部材２０が帯状になった基礎材２０’を略円筒状または円錐状の形状に沿って螺旋状に巻かれ構造部材本体の輪郭の外形に略相似な形状に立体的に成形されてもよい。
構造部材本体１０の輪郭が略円筒状または円錐状の形状を一部に有し、シート部材２０が帯状になった基礎材２０’を略円筒状または円錐状の形状に沿って、隣り合う縁部を互いに重ねて、螺旋状に巻かれ構造部材本体の輪郭の外形に略相似な形状に立体的に成形されてもよい。
【００３８】
図３（Ａ）は、構造部材本体１０の輪郭の略円筒状の形状を包む胴体２０ａと一対の端部２０ｂとを持つ様に立体的に形成されるシート部材を示す。
一対の端部２０ｂが、止め輪３０により絞られてもよい。
図３（Ｂ）は、構造部材本体１０の輪郭の略円筒状の形状を包む胴体２０ａと一対の端部２０ｂとを持つ様に立体的に形成されるシート部材を示す。
一対の端部２０ｂの円周状の縁部が胴体２０ａに接続される。
例えば、一対の端部２０ｂの円周状の縁部が胴体２０ａに縫製により接続される。
図３（Ｃ）は、構造部材本体１０の輪郭の略円筒状の形状を包む胴体２０ａを持つ様に立体的に形成されるシート部材を示す。
図３（Ｄ）は、帯状になったものを構造部材本体１０の輪郭の略円筒状の形状に沿って螺旋状の巻かれ構造部材本体１０の輪郭の外形に略相似な形状に立体的に成形されるシート部材を示す。
図４（Ｅ）は、周囲にはとめを設けられ、はとめに通すロープにより絞られ、構造部材本体１０の輪郭の略円筒状の形状を包む胴体２０ａと一対の端部２０ｂとを持つ様に立体的に形成されるシート部材を示す。
【００３９】
次に、シート部材を構成する基礎材２０’を製造する製造方法を、図を基に、説明する。
図２は、本発明の実施形態に係るシート部材の製造方法を示す。
シート部材を構成する基礎材２０’を製造する製造方法は、準備工程Ｓ１０とパウダー供給工程Ｓ２０と圧着工程Ｓ３０と成形工程（図示せず）で構成される。
準備工程Ｓ１０は、屈曲自在な素材でできたシート状の基材２１と基材２１の少なくとも一面に付着し層を形成する粘着剤又は接着剤でできた第一層とでできたもののロールを準備する工程である。
パウダー供給工程Ｓ２０は、第一層の上に銅又は銅合金のパウダーを定量供給する工程である。
圧着工程Ｓ３０は、基材２１の上の第一層の上に銅又は銅合金のパウダーを乗せたものを上下一対のロールに通してシート部材の基礎材２０’を製造する。
成形工程は、シート部材の基礎材２０’を成形してシート部材を作る工程である。成形工程では、縫製、融着等の手段により、シート部材の基礎材２０’を成形してシート部材を作る。
【００４０】
次に、本発明の第一の実施形態にかかる構造部材の作用を、図を基に、説明する。
図５は、本発明の第一の実施形態に係る構造部材の作用説明図である。
いけす２００は、複数の構造部材１００といけす枠体２１０といけす網２２０と固定バンド２３０で構成される。
複数の構造部材１００がいけす枠体２１０に固定バンド２３０で固定される。いけす網２２０が、いけす枠体２１０から水中に垂れ下がる。
構造部材１００のシート部材に含まれる銅または銅合金のパウダーの効果により構造部材での貝類の成長が抑制される。
【００４１】
次に、本発明の第二の実施形態にかかる構造部材の作用を、図を基に、説明する。
図６は、本発明の第二の実施形態に係る構造部材の作用説明図である。
海上浮標３００は、構造部材１００と標識３１０とアンカーチェーン３２０とで構成される。
標識３１０が、構造部材１００の上部に設けられる。
アンカーチェーン３２０が、構造部材１００の下部にもうかられる。
構造部材１００のシート部材２０に含まれる銅または銅合金のパウダーの効果により構造部材１００での貝類の成長が抑制される。
【００４２】
次に、本発明の第三の実施形態にかかる構造部材の作用を、図を基に、説明する。
図７は、本発明の第三の実施形態に係る構造部材の作用説明図である。
潮流発電装置４００は、構造部材１００と取水管４１０と本体とで構成される。
構造部材１００の本体は、取水管４１０の先端部に相当する。
構造部材１００のシート部材２０に含まれる銅または銅合金のパウダーの効果により構造部材１００での貝類の成長が抑制される。
【００４３】
また、本発明の実施形態に係る構造部材とシート部材は、その構成により、以下の効果を有する。
シート状の基材の少なくとも一面に付着する粘着剤又は接着剤に銅または銅合金のパウダーを付着させたシート状の基礎材２０’でできたシート部材２０を構造部材本体１０の表面を覆う様に構造部材本体１０を包む様にしたので、水に浸かる構造部材に貝類が付着するのを抑制できる。
シート状の基材の少なくとも一面に付着する粘着剤又は接着剤に銅または銅合金のパウダーを付着させたシート状の基礎材２０’でできたシート部材２０を構造部材本体１０の表面を覆う様に構造部材本体１０を包む様にしたので、浮力を発生する構造部材に貝類が付着するのを抑制できる。
また、シート状の基材の少なくとも一面に付着する粘着剤又は接着剤に銅または銅合金のパウダーを付着させたシート状の基礎材２０’でできたシート部材２０を構造部材本体１０の少なくとも水に濡れる表面を覆う様に構造部材本体１０を包む様にしたので、水に浸かる構造部材に貝類が付着するのを抑制できる。
また、シート状の基材の少なくとも一面に付着する粘着剤又は接着剤に銅または銅合金のパウダーを付着させたシート状の基礎材２０’でできたシート部材２０を構造部材本体１０の少なくとも水に濡れる表面を覆う様に構造部材本体１０を包む様にしたので、浮力を発生する構造部材に貝類が付着するのを抑制できる。
また、シート部材２０が構造部材本体１０の輪郭を覆う様に立体的に成形する様にしたので、水に浸かる構造部材に貝類が付着するのを効率的に抑制できる。
また、シート部材２０が構造部材本体１０の輪郭を覆う様に立体的に成形する様にしたので、浮力を発生する構造部材に貝類が付着するのを効率的に抑制できる。
また、シート部材２０が構造部材本体１０の略円筒状または円錐状の形状を包む様に胴体を立体的に成形したので、シート部材２０が構造部材本体の輪郭を覆い、水に浸かる構造部材に貝類が付着するのを効率良く抑制できる。
また、シート部材２０が構造部材本体１０の略円筒状または円錐状の形状を包む様に胴体を立体的に成形したので、シート部材２０が構造部材本体の輪郭を覆い、浮力を発生する構造部材に貝類が付着するのを効率良く抑制できる。
また、シート部材２０が構造部材本体１０の略円筒状または円錐状の形状を包む胴体と胴体の両端を絞る様に立体的に成形したので、シート部材２０が構造部材本体の輪郭を覆い、水に浸かる構造部材に貝類が付着するのを効率良く抑制できる。
また、シート部材２０が構造部材本体１０の略円筒状または円錐状の形状を包む胴体と胴体の両端を絞る様に立体的に成形したので、シート部材２０が構造部材本体の輪郭を覆い、浮力を発生する構造部材に貝類が付着するのを効率良く抑制できる。
また、シート部材２０が帯状になったものを構造部材本体１０の略円筒状または円錐状の形状に沿って螺旋状に巻かれる様に立体的に成形したので、シート部材が構造部材本体の輪郭を覆い、水に浸かる構造部材に貝類が付着するのを効率良く抑制できる。
また、シート部材２０が帯状になったものを構造部材本体１０の略円筒状または円錐状の形状に沿って螺旋状に巻かれる様に立体的に成形したので、シート部材が構造部材本体の輪郭を覆い、浮力を発生する構造部材に貝類が付着するのを効率良く抑制できる。
また、シート部材２０が帯状になったものを構造部材本体１０の略円筒状または円錐状の形状に沿って螺旋状に巻かれる互いの縁部を重ねる様に立体的に成形したので、シート部材が構造部材本体の輪郭を覆い、水に浸かる構造部材に貝類が付着するのを効率良く抑制できる。
また、シート部材２０が帯状になったものを構造部材本体１０の略円筒状または円錐状の形状に沿って螺旋状に巻かれる互いの縁部を重ねる様に立体的に成形したので、シート部材が構造部材本体の輪郭を覆い、浮力を発生する構造部材に貝類が付着するのを効率良く抑制できる。
また、通水性のあるシート状のカバー材２４が基板２１の少なくとも一面にできた第二層２３を覆う様にしたので、第二層２３の銅または銅合金のパウダーが剥がれるのを抑制でき、かつ水に浸かる構造部材に貝類が付着するのを効率良く抑制できる。
また、通水性のあるシート状のカバー材２４が基板２１の少なくとも一面にできた第二層２３を覆う様にしたので、第二層２３の銅または銅合金のパウダーが剥がれるのを抑制でき、かつ浮力を発生する構造部材に貝類が付着するのを効率良く抑制できる。
【００４４】
本発明は以上に述べた実施形態に限られるものではなく、発明の要旨を逸脱しない範囲で各種の変更が可能である。
【符号の説明】
【００４５】
１００  構造部材
１０  構造部材本体
２０  シート部材
２０’  基礎材
２１  基材
２２  第一層
２３  第二層
２４  カバー材
３０  止め輪
２００  いけす
２１０  いけす枠体
２２０  いけす網
２３０  固定バンド
３００  海上浮標
３１０  標識
３２０  アンカーチェーン
４００  潮流発電装置
４１０  取水管
【先行技術文献】
【特許文献】
【００４６】
【特許文献１】特表２００７−５１４０３５号
【特許文献２】特表平０８−５０５３３７号
【特許文献３】特開２００１−１０６１８１号
【特許文献４】特公平２−４１５５６号
【特許文献５】特公平３−５８７８８号
【特許文献６】特公平６−４９１７３号
【図１】
0006706074.tif 000002
【図２】
0006706074.tif 000003
【図３】
0006706074.tif 000004
【図４】
0006706074.tif 000005
【図５】
0006706074.tif 000006
【図６】
0006706074.tif 000007
【図７】
0006706074.tif 000008